(57)【要約】【課題】  記入者が腕や体を大きく動かすことなく、所望の位置に書き込みが行える電子黒板装置を提供する。【解決手段】  本発明の表示入力装置は、書込領域を設定し、書込領域の外に入力があった場合、描画領域が書込領域を囲むように縮小表示し、縮小領域に行われた入力が示す位置が書込領域内に入るように描画領域を移動させることを特徴とする。【選択図】  図４
2014022901.tif 000002
【特許請求の範囲】
【請求項１】
画像表示手段と、
前記画像表示手段への入力を検知する入力検知手段とを備えた表示入力装置であって、
前記画像表示手段は、記入を行うことができる描画領域の少なくとも一部を表示するものであり、
前記表示入力装置は、
前記画像表示手段に書込領域を設定する第１の入力に基づき、書込領域を設定する領域設定手段と、
前記書込領域の外側への第２の入力に基づき、前記描画領域を縮小した縮小領域が前記書込領域を取り囲むように、前記描画領域を縮小し表示する縮小表示手段と、
前記縮小領域への第３の入力により、前記第３の入力が示す位置が前記書込領域内に入るように前記描画領域を移動させ表示する表示移動手段と、
を備えることを特徴とする表示入力装置。
【請求項２】
前記縮小表示手段は、前記描画領域のうち、前記書込領域を除いた領域についてのみ縮小を行うことを特徴とする、請求項１に記載の表示入力装置。
【請求項３】
前記縮小表示手段は、前記書込領域から遠い位置ほど高い縮小率で前記描画領域を縮小することを特徴とする、請求項１に記載の表示入力装置。
【請求項４】
前記領域設定手段は、前記書込領域の外周部の境界線に対して点線または半透明の少なくともいずれかの処理を行うことを特徴とする、請求項１に記載の表示入力装置。
【請求項５】
前記表示移動手段は、
前記画像表示手段の左右いずれか一方向の表示領域外に存在する前記描画領域を、前記画像表示手段の水平方向の大きさだけ、前記左右いずれか一方向とは逆方向に移動させ、
前記画像表示手段の上下いずれか一方向の表示領域外に存在する前記描画領域を、前記画像表示手段の垂直方向の大きさだけ、前記上下いずれか一方向とは逆方向に移動させることを特徴とする、請求項１に記載の表示入力装置。
【請求項６】
他の表示装置に情報を送信する通信部をさらに備え、
前記通信部が、前記書込領域の境界線の情報を除いて前記他の表示装置に情報を送信することを特徴とする、請求項１記載の表示入力装置。
【請求項７】
描画領域の少なくとも一部を表示する画像表示手段と、
前記画像表示手段への入力を検知する入力検知手段とを備えた表示入力装置であって、
前記画像表示手段は、記入を行うことができる描画領域の少なくとも一部を表示するものであり、
前記表示入力装置は、
前記画像表示手段に書込領域を設定する第１の入力に基づき、書込領域を設定する領域設定手段と、
前記書込領域の外側への第２の入力に基づき、前記描画領域を縮小した縮小領域が前記書込領域内に含まれるように、前記描画領域を縮小し表示する縮小表示手段と、
前記縮小領域への第３の入力により、前記第３の入力が示す位置が前記書込領域内に入るように前記描画領域を移動させ表示する表示移動手段とを備えることを特徴とする表示入力装置。
【請求項８】
描画領域の少なくとも一部を画像表示領域に表示する画像表示ステップと、
前記画像表示領域への入力を検知する入力検知ステップと、
を含む表示入力方法であって、
該表示入力方法は、
第１の入力に基づき、前記画像表示領域に書込領域を設定する領域設定ステップと、
前記書込領域の外側への第２の入力に基づき、前記描画領域を縮小した縮小領域が前記書込領域を取り囲むように、前記描画領域を縮小する縮小表示ステップと、
前記縮小領域への第３の入力により、前記第３の入力が示す位置が前記書込領域内に入るように前記描画領域を移動させ表示する表示移動ステップと、
を含むことを特徴とする表示入力方法。
【発明の詳細な説明】
【技術分野】
【０００１】
本発明は、電子黒板に関する。
【背景技術】
【０００２】
従来型の黒板やホワイトボードに代わり、指や電子ペンなどの操作体によるタッチを検出することにより入力を行う電子黒板が知られている。電子黒板には主に、プロジェクタを用いて画面を投影する投影型と、ディスプレイとタッチセンサが一体化した一体型が存在する。
【０００３】
このような電子黒板には大きいもので８０インチを超えるようなものも存在するため、記入者が画面全体に書き込みを行おうとする際には、手が届きにくかったり、立ち位置を変更する必要があるなど、不都合なことが多かった。
【０００４】
これに対して、特許文献１の電子黒板１００は、図１９に示すように、電子黒板１００の下部に縮小表示領域１ｃを設け、縮小表示領域１ｃに記述された手書きの円９０１および手書きの文字列９０２を認識し、認識された円と文字列を電子黒板１００全体に表示することで、背の低い人や車椅子を利用している人であっても、縮小表示領域１ｃにおいて複雑で精密な操作を行うことが可能となる。
【０００５】
また、特許文献２の電子黒板装置２００は、図２０（Ａ）のように、操作者が入力を行いやすい基準位置８０を予め設定しておき、書き込み画面２１０に対する入力位置が、基準位置８０に基づいて設定した最適書き込み範囲８１内に存在するか否かを判定し、範囲外となった場合に、図２０（Ｂ）のように、直近の入力位置が基準位置８０に合致するように、書き込み画面２１０を移動させることで、子供のように体が小さな操作者や車椅子の操作者の場合などでも、書き込みのしやすさと見易さを両立させることができる。
【先行技術文献】
【特許文献】
【０００６】
【特許文献１】特開平５−３３０２８９号公報
【特許文献２】国際公開ＷＯ２００７／０１０７０４号公報
【発明の概要】
【発明が解決しようとする課題】
【０００７】
しかしながら、特許文献１に記載の電子黒板１００では、表示領域の下部に縮小表示領域１ｃを表示させておくため、書込みできる領域が減ってしまうという問題があった。
【０００８】
また、特許文献２に記載の電子黒板装置２００では、操作者が書き込みを継続しても、書き込み画面８１が移動することから書き込みがしにくくはならないものの、直近の入力位置が基準位置８０に合致するようにしか書き込み画面２１０を移動させることができないため、書き込みたい位置を自由に移動させることができず、結果として電子黒板装置の所望の位置に対して書き込みを行うことはできなかった。
【０００９】
そこで本発明は、画面領域を減らすことなく、大画面であっても所望の位置に書き込みが行える電子黒板装置を提供することを目的とする。
【課題を解決するための手段】
【００１０】
本発明の表示入力装置は、画像表示手段と、画像表示手段への入力を検知する入力検知手段とを備えた表示入力装置であって、画像表示手段は、記入を行うことができる描画領域の少なくとも一部を表示するものであり、表示入力装置は、画像表示手段に書込領域を設定する第１の入力に基づき、書込領域を設定する領域設定手段と、書込領域の外側への第２の入力に基づき、描画領域を縮小した縮小領域が前記書込領域を取り囲むように、描画領域を縮小し表示する縮小表示手段と、縮小領域への第３の入力により、第３の入力が示す位置が書込領域内に入るように描画領域を移動させ表示する表示移動手段と、を備えることを特徴とする。
【００１１】
また、本発明の表示入力装置は、画像表示手段と、画像表示手段への入力を検知する入力検知手段とを備えた表示入力装置であって、画像表示手段は、記入を行うことができる描画領域の少なくとも一部を表示するものであり、表示入力装置は、画像表示手段に書込領域を設定する第１の入力に基づき、書込領域を設定する領域設定手段と、書込領域の外側への第２の入力に基づき、描画領域を縮小した縮小領域が書込領域内に含まれるように、描画領域を縮小し表示する縮小表示手段と、縮小領域への第３の入力により、第３の入力が示す位置が書込領域内に入るように描画領域を移動させ表示する表示移動手段と、を備えることを特徴とする。
【００１２】
本発明の表示入力方法は、描画領域の少なくとも一部を画像表示領域に表示する画像表示ステップと、画像表示領域への入力を検知する入力検知ステップと、を含む表示入力方法であって、表示入力方法は、第１の入力に基づき、画像表示領域に書込領域を設定する領域設定ステップと、書込領域の外側への第２の入力に基づき、描画領域を縮小した縮小領域が書込領域を取り囲むように、描画領域を縮小する縮小表示ステップと、縮小領域への第３の入力により、第３の入力が示す位置が書込領域内に入るように描画領域を移動させ表示する表示移動ステップと、を含むことを特徴とする。
【発明の効果】
【００１３】
本発明によれば、記入者が腕や体を大きく動かすことなく、所望の位置に書き込みを行うことが可能となる。
【図面の簡単な説明】
【００１４】
【図１】本発明の電子黒板の構成図である。
【図２】本発明の電子ペンの斜視図である。
【図３】本発明の電子黒板の機能ブロック図である。
【図４】本発明の電子黒板において、記入および書込領域の設定を行う様子を表した説明図である。
【図５】本発明の電子黒板において、表示の縮小および表示移動を行う際のフロー図である。
【図６】本発明の電子黒板において、表示の縮小を行う様子を表した説明図である。
【図７】本発明の電子黒板において、移動位置を指定する様子を表した説明図である。
【図８】本発明の電子黒板において、表示移動を行う様子を表した説明図である。
【図９】本発明の電子黒板において、表示移動を行った際の表示の様子を表した説明図である。
【図１０】本発明の電子黒板において、表示を移動した際の分割領域の表示を表した説明図である。
【図１１】本発明の電子黒板の第２の実施形態において、画像表示部より描画領域が大きい場合の様子を表した説明図である。
【図１２】本発明の電子黒板の第２の実施形態において、書込領域外をタッチした際の様子を表した説明図である。
【図１３】本発明の電子黒板の第２の実施形態において、表示の縮小を行う様子を表した説明図である。
【図１４】タブレット端末の構成図である。
【図１５】本発明の第３の実施形態における電子黒板とタブレット端末が連携する様子を表した説明図である。
【図１６】本発明の第３の実施形態における電子黒板とタブレット端末の表示の違いを表した説明図である。
【図１７】本発明の第４の実施形態を示した説明図である。
【図１８】本発明の第４の実施形態を示した説明図である。
【図１９】先行特許文献１の説明図である。
【図２０】先行特許文献２の説明図である。
【発明を実施するための形態】
【００１５】
（第１の実施形態）
（構成）
図１は本発明の第１の実施形態にかかる表示入力装置である、電子黒板１の構成図である。なお、本明細書においては表示入力装置の一例として電子黒板を用いて説明するが、これに限るものではなく、大型タッチディスプレイと呼ばれるものや、ディスプレイを縦横に並べたマルチディスプレイと呼ばれるものであっても良い。
【００１６】
電子黒板１は、主計算を行うＣＰＵ（Ｃｅｎｔｒａｌ  Ｐｒｏｃｅｓｓｉｎｇ  Ｕｎｉｔ）３、データを一時的に保存するＲＡＭ（Ｒａｎｄｏｍ  Ａｃｃｅｓｓ  Ｍｅｍｏｒｙ）４、ＲＯＭ（Ｒｅａｄ−Ｏｎｌｙ  Ｍｅｍｏｒｙ）５、記憶部６を有しており、これらはバス２により接続されている。記憶部６はＨＤＤ（Ｈａｒｄ  Ｄｉｓｋ  Ｄｒｉｖｅ）などからなる。
【００１７】
さらに電子黒板１は、画像表示領域となる画像表示部７と、画像表示部７に表示する画像を制御する画像表示制御部８とを含む。画像表示部７としては、例えば液晶ディスプレイが用いられ、ＣＰＵ３からの指示を受けた画像表示制御部８により、表示内容が制御される。電子黒板１は、さらに、指や電子ペンによるユーザの入力を検出する入力検知部９と、入力されたタッチの位置情報をＣＰＵ３に伝達する入力制御部１０を含む。
【００１８】
ただし、上述の各部は必ずしもハードウェアとして独立に存在するものでなくても良く、例えば、その機能の一部がＬＳＩ上の回路で実現されてもよい。また、前記のＣＰＵ３が回路と協働することでその機能が実現されてもよい。
【００１９】
電子黒板１のタッチ検出方式としては、例えば赤外線遮断方式が用いられる。これは、電子黒板の少なくとも２つの側面に複数の赤外線発信部（図示せず）を備え、対向する側面に向けて、電子黒板１の表面上を走査する、指向性のある赤外線を発信する。一方、赤外線発信部に対向する側面は複数の赤外線受信部（図示せず）を備えており、赤外線発信部から発信された赤外線を受光する。ここで、電子黒板１の表面に指や電子ペンが接触すると、赤外線が遮られることによって、対応する赤外線受信部において赤外線が検出されなくなるため、指や電子ペンが接触した位置を判定できる。
【００２０】
ただし、電子黒板のタッチ検出方式はこれに限られず、指や電子ペンを複数のカメラで撮影することで三角法により位置を求める光学方式や、抵抗膜方式、静電容量方式など、タッチ位置を検出できる方式であれば何でも良い。
【００２１】
その他、第１の実施形態においては必須の構成ではないが、電子黒板１は外部の機器と通信を行うための通信部１１および通信制御部１２を備えている。
【００２２】
図２は、電子黒板１に対する入力を行う電子ペン１３を示したものである。電子ペン１３の先端にはペン先１４が備えられており、この部分を電子黒板１に接触させることにより入力を行う。また、電子ペン１３を把持する位置の近くには機能ボタン１５があり、ボタンが押されたという情報は、超音波発信部１６から発信される超音波を電子黒板１の超音波検知部１７が検知することで、電子黒板１に伝えられる。したがって、機能ボタン１５を押したり、押しながら電子黒板１への書き込みを行ったりすることで、単に書き込むときとは異なる種類の機能を利用することができる。
（基本書込動作）
図３は、本発明の動作を実現する機能ブロック図である。入力制御部１０からの入力情報が領域設定部１８に送られて、記入者１９にとって書き込みやすい領域である書込領域が設定され、その情報を記憶部６または一時記憶部であるＲＡＭ４に保存しつつ、画像表示部７に書込領域の表示が行われる。一方、書込領域が設定されているときに行われた入力は、領域判定部２０により、その入力が書込領域内かどうかを判定され、縮小表示部２１による縮小や表示移動部２２による表示移動が行われた画像が画像表示部７に表示される。以下、この動作について詳述する。
【００２３】
図４（Ａ）〜（Ｃ）は、本実施形態の電子黒板１を用いて書き込みを行う動作を説明した図である。図４（Ａ）は、記入者１９が電子ペン１３により文字を記入している様子を表した図であり、図４（Ｂ）は、記入者１９が書込領域２３を指定する手順を示した説明図であり、図４（Ｃ）は、記入者１９が書込領域２３内に書き込みを行った状態を示す。
【００２４】
電子黒板１は、その周囲に額縁２４を有する。また、電子黒板１は、記入が行える仮想的な紙面を表す描画領域２５を持ち、図４（Ａ）〜（Ｃ）おいては、描画領域２５の大きさは画像表示部７と同じである。この描画領域２５が画像表示部７よりも大きいときは、画像表示部７の周囲にスクロールバー等を表示することで、画像表示部７に表示されていない描画領域２５への移動を行うことが可能となる。
（書込領域設定）
記入者１９にとって書き込みやすい範囲は、記入者１９の身長、利き手、立ち位置などによって変わりうる。
【００２５】
図４（Ｂ）のように、記入者１９が、電子ペン１３の機能ボタン１５を押しながら、斜めに線を引くように書き込んで第１の入力を行うと、領域設定部１８は、タッチ開始点とタッチ終了点を結ぶ線分を対角線とする長方形領域を書込領域２３として設定し、書込領域２３の境界線に線を表示する。
【００２６】
そして、図４（Ｃ）のように、書込領域２３内に行われた書き込みは、書込領域２３を指定しない場合と同様に、電子ペン１３で描いたとおりの軌跡が表示される。
【００２７】
なお、記入者１９についてはこの書込領域２３の範囲を認識しておく必要はあるが、単なる閲覧者にとっては意識する必要がないものである。したがって、書込領域２３の境界線は、点線や半透明など、目立たないように処理されていることが望ましい。
【００２８】
なお、書込領域２３を指定する方法は上記のものに限らず、書込領域設定モードボタンといったものを画面に表示し、そのボタンを押した後に、指や電子ペンで電子黒板１上に、領域を指定する斜めの線を引くようにしても良いし、斜めの線を引く代わりに、書込領域としたい領域の左上と右下の角を連続してタッチするようにしても良い。また、書込領域２３は長方形に限らず、指や電子ペンで描かれた自由曲線で囲まれるような形としてもよい。
【００２９】
一度設定した書込領域を変更するには、再度上述のような領域指定を行えばよい。この場合、新たに指定された書込領域を古い書込領域と置き換えるようにしても良いし、新たに指定された書込領域を古い書込領域に追加するようにしても良い。
（縮小、表示位置移動動作）
ここで本発明の電子黒板の特徴である縮小動作および表示位置移動動作について説明する。本発明の電子黒板は、書込領域２３の外に入力が行われた場合、描画領域２５を書込領域２３の周辺に縮小させて表示させることにより、腕や体を大きく動かすことなく、描画領域２５内の位置を指定して、その位置を書込領域内に移動することができる。図５は上記の動作を示したフロー図である。
【００３０】
図４（Ｃ）の状態において、ステップＳ１００でＹｅｓ、ステップＳ１０１でＹｅｓとなると、すなわち、記入者１９が書込領域２３の外をタッチすることにより、第２の入力が行われたと領域判定部２０が判定すると、ステップＳ１０２において、縮小表示部２１は、描画領域２５の内容のうち、書込領域２３の外の領域を書込領域２３に向けて縮小し、書込領域２３の周囲に縮小領域２６として表示する（図６）。
【００３１】
なお、図６で示したように、書込領域２３内の表示については縮小が行われていないため、書込領域２３内の領域は縮小領域２６ではない。したがって、縮小領域２６は書込領域２３を取り囲むこととなる。
【００３２】
なお、記入者１９が新たに書き込みを行いたい領域は現在の書込領域２３の近くに存在する可能性が高いと考えられるため、描画領域２６を、書込領域２３から離れるほど縮小率が大きくなるように縮小し、書込領域２３に近い部分ほど大きく表示することが望ましい。また、このように縮小することにより、書込領域２３の内と外の表示を滑らかに変化させることができる。なお、縮小表示には、バイリニア法などの一般的手法が用いられる。
【００３３】
また、記入者１９が移動を行いたい所望の位置からずれてタッチを開始する場合も考えられるため、上記の領域判定部２０による判定は、タッチが離れた点を基準とすることが望ましい。また、図６においては縮小領域２６の周囲に電子黒板１の額縁２４状の額縁画像２７の表示を行っているが、単なる直線であっても良いし、周囲に線を表示しなくても良い。
【００３４】
この状態で、ステップＳ１０３において、縮小領域２６内を電子ペン１３でタッチし第３の入力が行われたことを領域判定部２０が検知すると（図７）、ステップＳ１０４において、表示移動部２２が、タッチした位置を書込領域２３の中心に移動させ、縮小表示を解除する（図８）。これにより、記入者１９が、離れた位置への書き込みを容易に行うことが可能となる。
【００３５】
このようにして行われた移動により、画像表示部７の中で描画領域２５の外である部分には、図８のように、背景色を表示すればよい。このようにすれば、閲覧者に違和感を与えることがない。
【００３６】
なお、ステップＳ１０１において書込領域２３内に入力が行われた場合や、ステップＳ１０３において縮小領域２６外に入力が行われた場合は、ステップＳ１０５においてタッチ入力が行われた位置にその軌跡が表示される。
【００３７】
また、描画領域２５の外であることをユーザに示すため、図９（Ａ）のように額縁画像２７を表示したり、図９（Ｂ）のように、額縁画像２７を表示し、その外側の色を変えるようにしたりしても良い。なお、この額縁画像２７は、電子黒板１の実際の額縁２４と同様の大きさ、色、形をしていることが望ましいが、これに限らず、単なる直線で領域を区切るようなものであっても良い。
【００３８】
さらには、図１０のように、画像表示部７からはみ出た部分を移動させて、画像表示部７内に表示させるようにしても良い。図１０の例では、画像表示部７の描画領域２５外の部分が３つに分割されており、左上部分に分割領域２８、右上部分に分割領域２９、左下部分に分割領域３０が割り当てられている。そして、右側にはみ出た部分は逆側の左側に、下側にはみ出た部分は逆側の上側に表示する。したがって、電子黒板１の左下の分割領域３０には描画領域２５の右上の領域が、右上の分割領域２９には描画領域２５の左下の領域が、左上の分割領域２８には描画領域２５の右下の部分が表示される。
【００３９】
これは、描画領域２５のうち、水平方向の表示領域外に出た部分を、画像表示部７の水平方向の大きさだけ、表示領域外に出た方向とは逆方向に移動させ、さらに、描画領域２５のうち、垂直方向の表示領域外に出た部分を、画像表示部７の垂直方向の大きさだけ、表示領域外に出た方向とは逆方向に移動させることに相当する。
【００４０】
こうすることにより、描画領域２５が移動することにより、画像表示部７にそのままでは表示しきれなくなった部分についての内容も視認することが可能となる。
【００４１】
なお、このような移動を行う場合、図１０のように額縁画像２７を表示するようにすると、額縁の幅に当たる分だけ表示領域が狭くなってしまうため、縮小や端部の削除を行って領域に収まるようにしても良いし、額縁画像２７を表示せず単なる直線で各領域を区切るようにしても良い。
【００４２】
以上説明したように、描画領域２５を書込領域２３の周辺に縮小して表示し、次にタッチされた位置を書込領域２３内に移動させることによって、記入者が腕や体を大きく動かすことなく、所望の位置に書き込みを行うことが可能となる。
【００４３】
（第２の実施形態）
第１の実施形態においては、画像表示部７と、書き込みが行える描画領域２５の大きさが等しかった。しかし、実際の電子黒板においては、両者は必ずしも等しくなく、図１１に示したように、描画領域２５が画像表示部７よりも大きいことがある。このような場合、例えば画像表示部７の周辺にスクロールバー３１が表示され、画像表示部７に表示されていない部分に移動できるような仕組みが用いられている。
【００４４】
ここで、第１の実施形態における説明と同様に、図１２のように、記入者１９が第１の入力によって書込領域２３を設定し、続けて書込領域２３の外側を電子ペン１３でタッチして第２の入力を行った場合に、書込領域２３以外の描画領域２５の表示を書込領域２３に向けて縮小し、図１３のように表示する。これで、第１の実施形態と同様に、縮小領域２６は書込領域２３を取り囲むこととなる。そして、縮小領域２６に対して第３の入力を行うことにより、その位置が書き込み領域２３に入るように、描画領域２５を移動させる。
【００４５】
これによって、元々画像表示部７に表示されていなかった位置への移動も可能となる。
【００４６】
ただし、描画領域２５が画像表示部７に対して著しく大きい場合、描画領域２５の全てを書込領域２３の周辺に表示しようとすると、書き込まれた情報が視認できないほど縮小されてしまうため、描画領域２５のうち、書込領域２３から遠く離れた位置にあるものは、必ずしも縮小後に画像表示部７内に表示されるようになっていなくても良い。
【００４７】
（第３の実施形態）
続いて、電子黒板１が他の機器と連携して動作する場合について説明する。第２の実施形態における電子黒板１の構成は、図１に示した第１の実施形態のものと同様であるが、他の端末と通信を行う通信部１１および通信制御部１２を必須の構成として備えている。
【００４８】
図１４は、電子黒板１と連携して用いるタブレット端末３２のブロック図である。構成については図１に示した電子黒板１とほぼ同じであるが、電子ペン１３と直接連携を行う必要はないため、超音波検知部１７は不要である。本明細書および図１４においては、区別のために符号の末尾にｔを付している。タブレット端末３２は、一般に電子黒板よりも小さく、手で把持できる程度の大きさである。
【００４９】
図１５は、電子黒板１とタブレット端末３２を連携して使用している図である。電子黒板１に書き込まれた軌跡の情報は、電子黒板の通信部１１によりタブレット端末３２に送信され、タブレット端末３２の画像表示部７ｔに表示される。これにより、閲覧者３３は遠くの電子黒板１を見ずとも、手元のタブレット端末３２を見ることで、電子黒板１に書かれた内容を確認することができる。
【００５０】
図１６は、電子黒板１において、第１の入力により範囲指定を行ったときの状態を示す図である。第１の実施形態と同様に、電子黒板１における書込領域２３の外周の境界線は、点線や半透明などの、目立たない線で表示されている。
【００５１】
この書込領域２３の境界線は、書込領域２３の範囲を電子黒板に書き込みを行う記入者１９に知らせるものであるため、閲覧者３３が見ているタブレット端末３２に表示する必要はない。したがって、書込領域２３の境界線に関する情報は、電子黒板１からタブレット端末３２に送られず、タブレット端末３２上には書込領域２３の境界線は表示されない。
【００５２】
なお、タブレット端末３２側に書込領域２３の境界線を表示しない方法は上記に限らず、タブレット端末３２側で、電子黒板１から送られた書込領域２３の境界線に関する情報を表示しないような処理を行っても良い。
【００５３】
本実施形態においては電子黒板がタブレット端末と連携する場合について説明したが、これに限らず、電子黒板が他の電子黒板と連携する場合であっても同様であり、書込領域２３の境界線が表示されるのは記入者側の電子黒板のみとなる。
【００５４】
（第４の実施形態）
第４の実施形態は、第１〜第３の実施形態と下記の点において異なる。
【００５５】
第１〜第３の実施形態においては、図６のように、描画領域２５のうち、書込領域２３の外側の領域を書込領域２３に向けて縮小し、書込領域２３の周囲に表示するようにしていたが、第４の実施形態は、図１７のように、第２の入力によって、書込領域２３内の描画領域２５の表示も含めて、書込領域２３に向けて縮小するようにしている。これにより、縮小領域２６がより書込領域２３の近くに表示されやすくなるため、移動位置を指定する第３の入力によって遠くの位置への移動が行いやすくなるという利点がある。この場合、縮小領域２６は書込領域２３内の領域も含むこととなるが、第１〜第３の実施形態と同様に、この状態も縮小領域２６が書込領域２３を取り囲むと表現するものとする。
【００５６】
また、縮小領域２６の大きさは書込領域２３と比べて必ずしも大きい必要はなく、図１８のように、縮小領域２６と書込領域２３が同じ大きさになるようにしてもよい。この場合、縮小領域２６が書込領域２３内に含まれることとなる。このようにすることで、縮小領域２６が、記入者１９がタッチ入力を行いやすい書込領域２３内に収まるため、さらに容易に第３の入力による描画領域２５の移動を行うことが可能となる。
【００５７】
さらには、縮小領域２６が書込領域２３よりも小さくすることで、縮小領域２６が書込領域２３内に含まれるようにしても良い。
【００５８】
【符号の説明】
【００５９】
１  電子黒板
２  バス
３  ＣＰＵ
４  ＲＡＭ
５  ＲＯＭ
６  記憶部
７  画像表示部
８  画像表示制御部
９  入力検知部
１０  入力制御部
１１  通信部
１２  通信制御部
１３  電子ペン
１４  ペン先
１５  機能ボタン
１６  超音波発信部
１７  超音波検知部
１８  領域設定部
１９  記入者
２０  領域判定部
２１  縮小表示部
２２  表示移動部
２３  書込領域
２４  額縁
２５  描画領域
２６  縮小領域
２７  額縁画像
２８  分割領域
２９  分割領域
３０  分割領域
３１  スクロールバー
３２  タブレット端末
３３  閲覧者
【図１】
2014022901.tif 000003
【図２】
2014022901.tif 000004
【図３】
2014022901.tif 000005
【図４】
2014022901.tif 000006
【図５】
2014022901.tif 000007
【図６】
2014022901.tif 000008
【図７】
2014022901.tif 000009
【図８】
2014022901.tif 000010
【図９】
2014022901.tif 000011
【図１０】
2014022901.tif 000012
【図１１】
2014022901.tif 000013
【図１２】
2014022901.tif 000014
【図１３】
2014022901.tif 000015
【図１４】
2014022901.tif 000016
【図１５】
2014022901.tif 000017
【図１６】
2014022901.tif 000018
【図１７】
2014022901.tif 000019
【図１８】
2014022901.tif 000020
【図１９】
2014022901.tif 000021
【図２０】
2014022901.tif 000022